(57)【要約】【課題】  落下時にロックが外れることを防止することができるテープカセット用収納ケースを提供する。【解決手段】  磁気テープカセットＣを収納する収納部１１と、収納部１１を囲む外板を有する蓋部１２と、収納部１１に蓋部１２を開閉可能に連結するヒンジ板部１６と、蓋部１２の外板１３の外側面に形成された係合部３６と、収納部１１におけるヒンジ板部１６と反対側の端縁部４０に形成されたロック片基端部４２と、ロック片基端部４２にヒンジ部１８を介して支持され、係合部３６に係合可能なロック片１７と、ロック片１７を係合部３６に係合させた状態で、ロック片基端部４０の内面に当接するリブ３７とを備え、端縁部４０とリブ３７との間に所定の隙間Ｄ２ができる。【選択図】  図５
2006001571.tif 000002
【特許請求の範囲】
【請求項１】
磁気テープカセットを収納する収納部と、
前記収納部を囲む外板を有する蓋部と、
前記収納部に前記蓋部を開閉可能に連結するヒンジ板部と、
前記蓋部の前記外板の外側面に形成された係合部と、
前記収納部における前記ヒンジ板部と反対側の端縁部に形成されたロック片基端部と、
前記ロック片基端部にヒンジ部を介して支持され、前記係合部に係合可能なロック片と、
前記蓋部に設けられ、前記ロック片を前記係合部に係合させた状態で、前記ロック片基端部の内面に当接するリブとを備え、
前記ロック片を前記係合部に係合させた状態で、前記端縁部と前記リブとの間に所定の隙間ができることを特徴とするテープカセット用収納ケース。
【請求項２】
前記所定の隙間が０．２ｍｍから１ｍｍの範囲であることを特徴とするテープカセット用収納ケース。
【発明の詳細な説明】
【技術分野】
【０００１】
本発明は、放送局で磁気テープカセットを収納して保護するのに用いられるテープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となる。このため、テープカセットが衝撃によって損傷することを防ぐため、保管や搬送時には専用の合成樹脂製の収納ケースに収納される。
【０００３】
このような従来のテープカセット用収納ケースの一例として、収納部と、蓋部と、ヒンジ部と、からなるテープカセット用収納ケースが知られている（例えば、特許文献１参照）。
【０００４】
図６は、従来のテープカセット用収納ケースを示す図である。
図６に示すように、従来のテープカセット用収納ケース７０は、ハードタイプのケース本体を有し、ケース本体が、四側壁７２を有する収納部７１と、三側壁７４を有する蓋部７３と、収納部７１の底面板７５及び蓋部７３の天面板７６とがヒンジ７７，７８によって接続され、該蓋部７３を閉じた状態で蓋部７３の一側壁になる連接部７９と、からなる。
【０００５】
蓋部７３の内部において、連接部７９とは反対側の正面側の側壁７４における両端部には鉤部８１を備えた側壁ロック部８０が形成されている。鉤部８１は蓋部７３を閉じた時に、収納部７１の側壁７２に形成されている係止穴８２に係止される。
【０００６】
また、テープカセット用収納ケース７０には、連接部７９とは反対の正面側に、外周縁部８３を欠落させてサイドロック部８４が設けられている。サイドロック部８４は、収納部７１の底面板７５にヒンジ８５を介して接続され、フラップ板８６が設けられており、閉じられた蓋部７３の側壁７４に重ね合わされた時に、フラップ板８６に形成されている鉤部８７が蓋部７３の側壁７４の外表面の係止部（不図示）に係止されてロックされる。
【０００７】
【特許文献１】特開２００２−１７９１７６号公報
【発明の開示】
【発明が解決しようとする課題】
【０００８】
ところで、テープカセット用収納ケース７０では、サイドロック部８４がロックされたテープカセット用収納ケース７０を落とした際に、落下の衝撃がサイドロック部８４に加わることで該サイドロック部８４に撓みが生じることに起因してサイドロック部８４が係止部から外れることがあった。そして、落下した収納ケース７０から収納されている磁気テープカセットが飛び出して磁気テープカセットが損傷することがあった。そこで、落下の衝撃によってサイドロック部８４が落下の衝撃によって撓むことを防止するため、例えば、収納部７１の外壁７２にリブを突設し、サイドロック部８４を係止部に係合させた状態で、上記リブが該サイドロック部８４の内側面に当接するように構成することで、サイドロック部８４に撓みが生じることを防止する構成が考えられる。
【０００９】
しかし、このような構成では、サイドロック部８４を係止部に係合させる際にリブによってサイドロック部８４が撓ませることができないことに起因して係合させにくくなるという不具合がある。また、係合させたサイドロック部８４を外す際には、リブによってサイドロック部８４を撓ませることができないため、手指で外すのに強い力を加えねばならず、使い勝手が悪くなる点で改善の余地があった。
【００１０】
本発明は、上述した事情に鑑みてなされたものであり、その目的は、落下時にロックが外れることを防止することができるとともに、ロックの係合及び解除を行い易いテープカセット用収納ケースを提供することにある。
【課題を解決するための手段】
【００１１】
本発明の上記目的は、磁気テープカセットを収納する収納部と、前記収納部を囲む外板を有する蓋部と、前記収納部に前記蓋部を開閉可能に連結するヒンジ板部と、前記蓋部の前記外板の外側面に形成された係合部と、前記収納部における前記ヒンジ板部と反対側の端縁部に形成されたロック片基端部と、前記ロック片基端部にヒンジ部を介して支持され、前記係合部に係合可能なロック片と、前記蓋部に設けられ、前記ロック片を前記係合部に係合させた状態で、前記ロック片基端部の内面に当接するリブとを備え、前記ロック片を前記係合部に係合させた状態で、前記端縁部と前記リブとの間に所定の隙間ができることを特徴とするテープカセット用収納ケースによって達成される。
【００１２】
上記のテープカセット用収納ケースによれば、蓋部の係合部とロック片とを係合させているときに、該蓋部に設けたリブがロック片基端部の内面に当接するため、ロック片と蓋部とを係合させた状態でテープカセット用収納ケースを落下した場合に、ロック片基端部に落下の衝撃が加わってもロック片基端部がリブによって内面側から支持され、ロック片基端部が撓むことが防止される。こうして、ロック片基端部に撓みが生じることを防止することによって、該ロック片基端部に連接されたロック片に撓みによる変形の負荷がかかることが防止され、ロック片が蓋部の係合部から外れることを防止することができ、落下時の衝撃でロック片が外れ難くすることで、収納部から磁気テープカセットが飛び出して損傷することを防止できる。また、収納部の端縁部と蓋部のリブとの間に所定の隙間があるため、ロック片基端部を適宜撓ませることができる。このため、ロック片を係止部に係合させる際に、ロック片とリブとの干渉によってロック片が撓ませることができなって係合させにくくなるという不具合を解消することができる。また、係合させたロック片を外す際には、ロック片基端部を撓ませることによって外しやすくなり、使い勝手が良い。
【００１３】
上記テープカセット用収納ケースにおいて、所定の隙間が０．２ｍｍから１ｍｍの範囲であることが好ましい。
【発明の効果】
【００１４】
本発明によれば、落下時にロックが外れることを防止することができるとともに、ロックの係合及び解除を行い易いテープカセット用収納ケースを提供できる。
【発明を実施するための最良の形態】
【００１５】
以下、本発明に係る好適な実施の形態例を図面に基づいて詳細に説明する。図１は、本発明に係るテープカセット用収納ケースの一実施形態を示す開状態の斜視図である。図２は、図１に示すテープカセット用収納ケースの矢印Ｂの方向からみた図である。図３〜図５はそれぞれ、図１に示すテープカセット用収納ケースの構成を示すＡ−Ａ線方向に観た断面図であり、図３は、蓋部を閉じる前の状態を、図４は、蓋部を閉じた状態で、かつ、ロック片をロックする前の状態を、図５は、蓋部を閉じた状態で、かつ、ロック片をロックした状態をそれぞれ示す。
【００１６】
図１に示すように、テープカセット用収納ケース１０は、磁気テープカセットＣを収納する収納部１１と、この収納部１１を囲む外板１３，１４，１５を有する蓋部１２と、収納部１１及び蓋部１２を開閉可能に連結するヒンジ板部１６と、ヒンジ部１８を介して収納部１１に対して可動に連結されたロック片１７と、が一体成形で構成されている。テープカセット用収納ケース１０は、ポリプロピレン（ＰＰ）等の高分子樹脂を材料として成形されている。
【００１７】
収納部１１の底板１９の外縁部には、周囲を囲んで配された周板２０，２１，２２，２３が立設されている。周板２０は収納部１１の正面側に配され、周板２１は収納部１１の背面側に配され、周板２２，２３は収納部１１の左・右面側に配されている。周板２０，２１，２２，２３の中央部には、高さが低くなるように切除された凹部２４，２５，２６，２７がそれぞれ形成されている。
【００１８】
収納部１１には、底板１９の中央部に、一対のリール係止リブ２８が形成されている。  リール係止リブ２８は、スリットによって周方向に複数に分割された円筒形状を有する。リール係止リブ２８に磁気テープカセットＣに有する巻取ハブ（不図示）を挿入することにより、磁気テープカセットＣを収納部１１に位置決めする。
【００１９】
収納部１１には、周板２０の前面における凹部２４の両側に、第１の係合部３０がそれぞれ形成されている。ヒンジ板部１６側に位置する外板１３の内面側両端部には、第１の係止部３１が形成されている。蓋部１２が閉じられる際に、第１の係合部３０と第１の係止部３１とが係合するように構成されている。
【００２０】
蓋部１２には、天板３２の外縁部に周囲の三方を囲んで配された外板１３，１４，１５が、天板３２上に直立して形成されている。蓋部１２を収納部１１に被せた状態で、外板１３が収納部１１の正面に位置するよう形成され、外板１４，１５が収納部１１の両側面に位置するように形成されている。
【００２１】
また蓋部１２には、対向配置された外板１４，１５の内側に、高さの高い四角柱形状の角ボス３３が形成されている。角ボス３３は、蓋部１２が収納部１１に対して閉じられた際に、収納部１１の周板２２，２３の外側面と蓋部１２の外板１４，１５の内側面との間に位置するように設けられ、閉じられた蓋部１２が適正な位置になるように案内する。
【００２２】
ヒンジ板部１６は、収納部１１と蓋部１２との間に、湾曲された板形状に形成されている。ヒンジ板部１６における、収納部１１と蓋部１２に連結する縁辺には、ヒンジ３４，３５が形成されている。一方のヒンジ３４は、収納部１１の底板１９の一辺に連結されており、他方のヒンジ３５は、蓋部１２の天板３２の一辺に連結されている。
【００２３】
収納部１１の周板２０の端縁部４０における略中央には、台形形状を有する板状のロック片１７が連結されている。ロック片１７の先端部には、第２の係止部４４が形成されている。
【００２４】
図２に示すように、蓋部１２には、外板１３の外面に立設され、水平方向に延びる第２の係合部（係合部）３６と、この係合部３６の上端部から外板１３の上端部（図２の上方端部）に亘って互いに平行に延びる２つのリブ３７とが形成されている。
【００２５】
図３，４及び５に示すように、収納部１１の周板２０には、下端部外面に沿って端縁部４０が垂直に突設されている。端縁部４０における略中央には水平に延設された延設部４１と、延設部４１の端部から左斜め上方へ約４５°の角度を以って立設されたロック片基端部４２とが設けられる。ロック片基端部４２は、図３の断面視において、周板２０の端縁部４０における他の部位４３に対して、収納部１１の内側へ窪んだ形状である。
【００２６】
ロック片１７は、ロック片基端部４２の先端部にヒンジ部１８を介して連接されている。ロック片１７は、ヒンジ部１８で回動させることで周板２０側へ折り畳むことができる構成である。そして、蓋部１２を収納部１１に対して閉じた状態において、第２の係合部３６の下端部がロック片１７の第２の係止部と係合することで蓋部１２をロックさせることができる。
【００２７】
テープカセット用収納ケース１０は、蓋部１２が収納部１１に対して閉じられることによって第１の係合部３０に第１の係止部３１がそれぞれ係合されてロックした後に、さらに、ロック片１７がヒンジ部１８を介して図１中の上方に向けて立ち上げることにより、ロック片１７の第２の係止部４４が蓋部１２の第２の係合部３６に係合されてロックする、所謂、ダブルロックする構成である。
【００２８】
蓋部１２の外面１３に形成されたリブ３７は、該蓋部１２とロック片１７とをロックさせた状態において、収納部１１の端縁部４０に形成されたロック片基端部４２の内面に当接するように配置されている。
【００２９】
また、テープカセット用収納ケース１０は、蓋部１２とロック片１７とをロックさせた状態において、蓋部１２のリブ３７と収納部１１の端縁部４０との間に所定の隙間ができるように構成されている。
【００３０】
以下、図３，４及び５を参照して、本実施形態のテープカセット用収納ケース１０の作用を具体的に説明する。
蓋部１２を収納部１１に対して閉じた状態とする場合には、図３に示すように、蓋部１２を図中矢印方向に移動させる。そして、図４に示すように、蓋部１２の外板１３の内面に設けられた第１の係止部３１を収納部１１の前側の周板２０における外側に設けられた第１の係合部３０に係合させる。このとき、蓋部１２の外板１３の外面に設けられたリブ３７の先端部３７ａが、ロック片基端部４２の内面に当接する。図４に示すように、リブ３７と端縁部４０との間に所定の隙間Ｄ１が形成される。隙間Ｄ１は０．２ｍｍから１ｍｍの範囲とすることが好ましい。
【００３１】
また、閉じた状態の蓋部１２にロック状態にするには、図４に示すようにロック片１７を矢印方向に折り畳むことで、図５に示すように、ロック片１７の第２の係止部４４を蓋部１２の外板１３の外面に設けられた第２の係合部３６に係合させる。蓋部１２の第２の係合部３６とロック片１７の第２の係止部４４とを係合させて蓋部１２をロック状態としたときも、蓋部１２のリブ３７の先端部３７ａがロック片基端部４２の内面に当接した状態が維持されている。このとき、図５に示すように、リブ３７と端縁部４０との間に所定の隙間Ｄ２が形成される。隙間Ｄ２は０．２ｍｍから１ｍｍの範囲とすることが好ましい。
【００３２】
本実施形態において、リブ３７の先端部３７ａにおいてのみロック片基端部４２の内面に当接する構成としたが、リブ３７の少なくとも一部がロック片基端部４２の内面に当接するとともに、ロック片１７のロック状態で、リブ３７と端縁部４０との間に所定の隙間ができる構成であればよい。
【００３３】
本実施形態のテープカセット用収納ケース１０では、蓋部１２の係合部３６とロック片１７とを係合させているときに、該蓋部１２に設けたリブ３７がロック片基端部４２の内面に当接するため、ロック片１７と蓋部１２とを係合させた状態でテープカセット用収納ケース１０を落下した場合に、ロック片基端部４２に落下の衝撃が加わってもロック片基端部４２がリブ３７によって内面側から支持され、ロック片基端部４２が撓むことが防止される。こうして、ロック片基端部４２に撓みが生じることを防止することによって、該ロック片基端部４２に連接されたロック片１７に撓みによる変形の負荷がかかることが防止され、ロック片１７の係止部４４が蓋部１２の係合部３６から外れることを防止することができ、落下時の衝撃でロック片１７が外れ難くすることで、収納部１１から磁気テープカセットＣが飛び出して損傷することを防止できる。また、収納部１１の端縁部４０と蓋部１２のリブとの間に所定の隙間があるため、ロック片基端部４２を適宜撓ませることができる。このため、ロック片１７の係止部４４を蓋部１２の係合部３６に係合させる際に、ロック片１７とリブ３７との干渉によってロック片１７が撓ませることができなって係合させにくくなるという不具合を解消することができる。また、係合させたロック片１７を外す際には、ロック片基端部４２を撓ませることによって外しやすくなり、使い勝手が良い。
【００３４】
本実施形態において、図２に示すように、２つの互いに平行なリブ３７を蓋部１２に設けたが、リブ３７の構成はこれに限定されない。例えば、リブ３７は、蓋部１２をロックした状態でロック片基端部４２の内面に当接するとともに端縁部４０との間に所定の隙間ができる構成であればよい。例えば、リブ３７の数は、１つであってもよく、３つ以上設けてもよい。またリブ３７の形状は、その少なくとも一部が蓋部１２をロックした状態でロック片基端部４２の内面に当接すれば変形することができ、例えば、第２の係合部３６と離間して突設されていてもよい。
【００３５】
なお、本発明は、前述した実施形態に限定されるものではなく、適宜に変形や改良等が可能である。
例えば、ロック片１７の形状は、上記実施形態のように平面視において台形形状に限定されることはなく、四角形状や半円形状であってもよい。
【図面の簡単な説明】
【００３６】
【図１】本発明に係るテープカセット用収納ケースの一実施形態を示す開状態の外観斜視図である。
【図２】図１に示すテープカセット用収納ケースにおいて矢印Ｂ方向からみた図である。
【図３】図１に示すテープカセット用収納ケースのＡ−Ａ線方向における、蓋部を閉じる前の状態を示す断面図である。
【図４】図１に示すテープカセット用収納ケースのＡ−Ａ線方向における、蓋部を閉じた状態で、かつ、ロック片をロックする前の状態を示す断面図である。
【図５】図１に示すテープカセット用収納ケースのＡ−Ａ線方向における、蓋部を閉じた状態で、かつ、ロック片をロックした状態を示す断面図である。
【図６】従来のテープカセット用収納ケースの開状態を示す図である。
【符号の説明】
【００３７】
１０              テープカセット用収納ケース
１１              収納部
１２              蓋部
１７              ロック片
１８              ヒンジ部
３６              第２の係合部
３７              リブ
４２              ロック片基端部
Ｃ                磁気テープカセット
【図１】
2006001571.tif 000003
【図２】
2006001571.tif 000004
【図３】
2006001571.tif 000005
【図４】
2006001571.tif 000006
【図５】
2006001571.tif 000007
【図６】
2006001571.tif 000008